(57)【要約】【課題】複数頁のうちの所望の頁だけを選択的に印刷することを可能にする。【解決手段】原稿読取り部４により原稿画像を読取って、この原稿画像の画像データを画像データ蓄積部３に蓄積した後、原稿画像の画像データを画像データ蓄積部３から画像解析部６へと出力し、画像解析部６により画像データを解析して、原稿画像に含まれている複写許可データを抽出して識別し、この複写許可データを表示部７の画面に表示し、入力操作部８の操作により画面上の複写許可データが有効にされると、この有効にされた複写許可データを含む原稿画像の画像データを画像データ蓄積部３から画像形成部５へと出力し、画像形成部５によりその原稿画像を記録用紙に複写する。【選択図】図１
2010226184.tif 000002
【特許請求の範囲】
【請求項１】
複数の原稿画像を読取って複写する画像形成装置において、
前記読取られた各原稿画像の画像データから複写許可データを抽出する抽出手段と、
前記抽出手段により抽出された複写許可データを有効にするために操作される入力操作手段と、
前記各原稿画像の画像データ別に、前記入力操作手段の操作により有効にされた複写許可データが含まれているか否かを判定し、複写許可データが含まれていると判定した画像データによって示される原稿画像の印刷を許可する制御手段とを備えることを特徴とする画像形成装置。
【請求項２】
複数種の複写許可データを表示する表示手段を備え、
前記入力操作手段は、前記表示手段により表示された各種の複写許可データのいずれかを選択的に有効にするために操作されることを特徴とする請求項１に記載の画像形成装置。
【請求項３】
前記複数種の複写許可データは、原稿画像の改訂版に応じて設定されたものであることを特徴とする請求項２に記載の画像形成装置。
【請求項４】
前記表示手段は、前記複写許可データによって示される情報を表示することを特徴とする請求項２に記載の画像形成装置。
【請求項５】
前記複写許可データは、原稿画像に含まれる地紋、バーコード、又は２次元コードであることを特徴とする請求項１に記載の画像形成装置。
【発明の詳細な説明】
【技術分野】
【０００１】
本発明は、画像データによって示される原稿画像を記録用紙に印刷形成する画像形成装置に関する。
【背景技術】
【０００２】
この種の画像形成装置としては、複写機、ファクシミリ装置、プリンタ、あるいはそれらの複合機等があり、いずれも画像データによって示される原稿画像を記録用紙に印刷することが可能である。また、画像データを光磁気ディスク等の記憶媒体に記憶する電子ファイル装置等を併用し、画像形成装置に対して入出力される画像データを電子ファイル装置等に保存管理することもある。
【０００３】
ところで、このような画像形成装置において、本来複写もしくは印刷が禁止されているマニュアルや書籍等の原稿画像を、複写もしくは印刷したり、ファクシミリ通信したり、電子ファイル装置に記憶させることができたならば、不正行為が野放しになるため、これを抑制する機能が必要である。
【０００４】
例えば、特許文献１の複写機では、原稿画像に複写禁止を示すバーコードが付されているか否かを判定し、バーコードが付されていると判定した場合に、原稿画像の複写を禁止している。詳しくは、原稿読取り処理部によって原稿画像を読取り、この原稿画像の画像データを画像複写出力処理部及び画像解析処理部に出力する。画像解析処理部は、その画像データに複写禁止を示すバーコードが含まれているか否かを判定し、バーコードが含まれていると判定した場合に、複写実行中止命令を画像複写出力処理部に出力する。画像複写出力処理部は、その命令を受け取ると、原稿読取り処理部から受け取った画像データの出力を禁止して、この画像データによって示される原稿画像を記録用紙に印刷しない。
【先行技術文献】
【特許文献】
【０００５】
【特許文献１】特開平８−６５４３８号公報
【発明の概要】
【発明が解決しようとする課題】
【０００６】
一方、マニュアルや書籍等には、初版、初版を改訂した第２版、第２版を改訂した第３版というように改訂されるものがある。このようなマニュアルや書籍等の保有者は、改訂版が出たときに、その全ての原稿画像を印刷し直すことが多い。これは、マニュアルや書籍等の複数頁のうちから改訂された頁だけを探し出して印刷するための作業もしくは操作が煩雑だからである。
【０００７】
このため、複数頁のうちから所望の頁だけを簡単に選択して印刷することが可能な技術が望まれている。
【０００８】
特許文献１では、複数頁のうちの所望の頁だけを複写禁止にすることができるものの、所望の頁だけを選択的に印刷することを可能にすることができず、そのような要求を満たすことはできない。
【０００９】
そこで、本発明は、上記課題を解決するためになされたものであり、複数頁のうちの所望の頁だけを選択的に印刷することを可能にする画像形成装置を提供することを目的とする。
【課題を解決するための手段】
【００１０】
上記課題を解決するために、本発明の画像形成装置は、複数の原稿画像を読取って複写する画像形成装置において、前記読取られた各原稿画像の画像データから複写許可データを抽出する抽出手段と、前記抽出手段により抽出された複写許可データを有効にするために操作される入力操作手段と、前記各原稿画像の画像データ別に、前記入力操作手段の操作により有効にされた複写許可データが含まれているか否かを判定し、複写許可データが含まれていると判定した画像データによって示される原稿画像の印刷を許可する制御手段とを備えている。
【００１１】
また、複数種の複写許可データを表示する表示手段を備え、前記入力操作手段は、前記表示手段により表示された各種の複写許可データのいずれかを選択的に有効にするために操作される。
【００１２】
例えば、前記複数種の複写許可データは、原稿画像の改訂版に応じて設定されたものである。
【００１３】
また、前記表示手段は、前記複写許可データによって示される情報を表示している。
【００１４】
また、前記複写許可データは、原稿画像に含まれる地紋、バーコード、又は２次元コードである。
【発明の効果】
【００１５】
本発明の画像形成装置では、複数の原稿画像の画像データから複写許可データを抽出し、この抽出された複写許可データを入力操作手段の操作により有効にする。そして、各原稿画像の画像データ別に、有効にされた複写許可データが含まれているか否かを判定し、複写許可データが含まれていると判定した画像データによって示される原稿画像の印刷を許可している。このため、利用者は、入力操作手段を操作して、複写許可データを有効にするだけで、複写許可データを含む画像データによって示される原稿画像を選択的に印刷することができる。
【００１６】
また、複数種の複写許可データを表示手段に表示し、入力操作手段の操作により各種の複写許可データのいずれかを選択的に有効にしている。この場合は、複数の原稿画像を幾つかのグループに分けて、これらのグループにそれぞれの複写許可データを与えておけば、複写許可データを選択的に有効にすることにより所望のグループの各原稿画像を印刷することができる。
【００１７】
更に、複数種の複写許可データを原稿画像の改訂版に応じて設定している。この場合は、複数の原稿画像を改訂版に応じた幾つかのグループに分けて、これらのグループにそれぞれの複写許可データを与える。そして、いずれかの複写許可データを選択的に有効にすることにより同一グループ（同一改訂版）の各原稿画像を印刷するようにする。例えば、全ての原稿画像のうちから第２版で改訂された原稿画像だけを印刷したり、第３版で改訂された原稿画像だけを印刷する。
【００１８】
また、複写許可データによって示される情報を表示しているので、複写許可データによって印刷が許可される原稿画像の分類等を知ることができる。
【００１９】
また、複写許可データは、原稿画像に含まれる地紋、バーコード、又は２次元コードである。地紋の場合は、原稿画像上で複写許可データが視認されることはない。また、バーコードや２次元コードの場合は、視認することができる。
【図面の簡単な説明】
【００２０】
【図１】本発明の画像形成装置の一実施形態を示すブロック図である。
【図２】（ａ）、（ｂ）、（ｃ）は、３種類のＱＲコードを模式的に示す図である。
【図３】ＱＲコードを含む複数の原稿を例示する図である。
【図４】図１の画像形成装置における表示部の画面に表示される「初版」、「第２版」、及び「第３版」とこれらに対応する各チェックボックスを示す図である。
【図５】図１の画像形成装置における表示部の画面に表示される「改訂頁のみを複写する」とこれに対応するチェックボックスを示す図である。
【図６】図１の画像形成装置における通常及び選択的な複写処理を示すフローチャートである。
【発明を実施するための形態】
【００２１】
以下、本発明の実施形態を添付図面を参照して詳細に説明する。
【００２２】
図１は、本発明の画像形成装置の一実施形態を示すブロック図である。本実施形態の画像形成装置１は、この装置１全体の制御を司る主制御部２、画像データ蓄積部３、原稿読取り部４、画像形成部５、画像解析部６、各種の情報を表示する表示部７、利用者により操作される入力操作部８、及び各部を相互接続するバス９等を備えている。
【００２３】
主制御部２は、ＣＰＵ（Central Processing Unit）、ＣＰＵにより実行される各種のプログラム等を記憶したＲＯＭ（Read Only Memory）、及びＣＰＵのワークエリアとして用いられるＲＡＭ（Random Access Memory）等からなり、ＣＰＵによりプログラムを実行し、データ処理を行って、画像形成装置１全体を制御する。画像データ蓄積部３は、ハードディスク装置等であり、画像データを蓄積する。
【００２４】
原稿読取り部４は、原稿１１の画像を走査して読取るスキャナ等を含み、原稿画像を示す画像データ（デジタル信号）を生成し、この原稿画像の画像データを画像データ蓄積部３に出力して蓄積する。
【００２５】
画像形成部５は、原稿画像を記録用紙１２に印刷出力するレーザプリンタ等を含み、画像データを画像データ蓄積部３から読出して取得し、この画像データによって示される原稿画像を記録用紙１２に複写する。
【００２６】
画像解析部６は、画像データを画像データ蓄積部３から読出して取得し、この画像データを解析処理して、この画像データによって示される原稿画像に複写許可データが含まれるか否かを判定する。この画像解析部６は、ＣＰＵによるプログラムの実行により実現したり、ロジック回路で実現したり、主制御部２の処理の一部として実現することが可能である。
【００２７】
表示部７は、例えば液晶表示装置である。入力操作部８は、利用者により操作されるキーやボタン、あるいは液晶表示装置の画面に重ねられたタッチパネル等である。
【００２８】
このような構成の画像形成装置１においては、原稿読取り部４により読取られた原稿画像の全てを複写するという通常の複写処理を行ったり、あるいは原稿読取り部４により読取られた原稿画像のうちの所望のものだけを複写するという選択的な複写処理を行うことができる。
【００２９】
前者の通常の複写処理では、原稿読取り部４により原稿画像を読取って、この原稿画像の画像データを画像データ蓄積部３に蓄積し、引き続いて画像データを画像データ蓄積部３から画像形成部５へと出力し、画像形成部５により画像データに応じた原稿画像を記録用紙に複写する。
【００３０】
また、後者の選択的な複写処理では、原稿読取り部４により原稿画像を読取って、この原稿画像の画像データを画像データ蓄積部３に蓄積した後、画像解析部６により画像データ蓄積部３内の画像データを解析して、原稿画像に含まれている複写許可データを識別し、この複写許可データを表示部７の画面に表示する。そして、入力操作部８の操作により画面上の複写許可データが有効にされると、この有効にされた複写許可データを含む原稿画像の画像データを画像データ蓄積部３から画像形成部５へと出力し、画像形成部５によりその原稿画像を記録用紙に複写する。
【００３１】
このような選択的な複写処理では、例えば、複写許可データとして原稿画像の改訂版を示すものを設定し、複数の原稿画像を改訂版別に幾つかのグループに分けて、これらのグループにそれぞれの複写許可データを与えている。そして、いずれかの複写許可データを有効にすることにより、同一グループ（同一改訂版）の各原稿画像を選択的に印刷するようにしている。例えば、第２版で改訂された原稿画像だけを印刷したり、第３版で改訂された原稿画
像だけを印刷している。
【００３２】
図２（ａ）、（ｂ）、（ｃ）には、複写許可データである３つのＱＲコード２１、２２、２３（登録商標）が例示されている。ＱＲコード２１は、「初版」の文字情報を示す。また、ＱＲコード２２は、「第２版」の文字情報を示す。更に、ＱＲコード２３は、「第３版」の文字情報を示す。
【００３３】
図３は、マニュアルや書籍等を構成する１００枚の原稿３１を示している。この図３から明らかなように原稿３１別に、各ＱＲコード２１、２２、２３のいずれかが原稿の右下隅の規定位置に記されている。
【００３４】
これらの原稿３１は、一束に纏められて、原稿読取り部４にセットされ、原稿読取り部４により各原稿３１の画像が読取られて、各原稿画像の画像データが画像データ蓄積部３に蓄積される。画像解析部６は、各原稿画像の画像データを画像データ蓄積部３から読出して入力し、これらの画像データを解析して、原稿画像別に、原稿画像の規定位置からＱＲコードを抽出して識別する。図３から明らかなように各原稿３１の画像には各ＱＲコード２１、２２、２３のいずれかが含まれることから、各ＱＲコード２１、２２、２３が抽出されて識別される。そして、画像解析部６は、各ＱＲコード２１、２２、２３からそれぞれの文字情報を読取り、これらの文字情報によって示される「初版」、「第２版」、及び「第３版」等を表示部７の画面に表示する。
【００３５】
図４は、表示部７の画面の表示例を示している。図４の画面には、ＱＲコード２１の文字情報によって示される「初版」とチェックボックス４１、ＱＲコード２２の文字情報によって示される「第２版」とチェックボックス４２、及びＱＲコード２３の文字情報によって示される「第３版」とチェックボックス４３が表示されている。また、全ての原稿画像に対応する「すべて」とチェックボックス４４が表示されている。
【００３６】
ここで、初版の原稿画像だけを選択的に印刷する場合は、入力操作部８の操作により、チェックボックス４１にチェックマークを記して、「初版」を選択して有効にする。これにより、「初版」を選択した旨が画像解析部６に通知される。
【００３７】
画像解析部６は、「初版」が選択された旨を受け取ると、画像データ蓄積部３内の原稿画像の画像データ毎に、原稿画像に「初版」の文字情報を示すＱＲコード２１が含まれるか否かを判定して、ＱＲコード２１を含む原稿画像の画像データを検索し、初版の原稿画像の画像データを画像データ蓄積部３から画像形成部５へと入出力させる。画像形成部５は、初版の原稿画像の画像データを入力し、初版の原稿画像を記録用紙に印刷して出力する。この初版の原稿画像は、初版のまま一度も改訂されたことがない原稿画像のグループに属する。また、図３においては、１頁、２頁、９９頁、１００頁が初版の原稿画像である。
【００３８】
また、第２版の原稿画像だけを選択的に印刷する場合は、入力操作部８の操作により、チェックボックス４２にチェックマークを記して、「第２版」を選択して有効にする。これにより、「第２版」を選択した旨が画像解析部６に通知される。
【００３９】
画像解析部６は、「第２版」が選択された旨を受け取ると、画像データ蓄積部３内の原稿画像の画像データ毎に、原稿画像に「第２版」の文字情報を示すＱＲコード２２が含まれるか否かを判定して、ＱＲコード２２を含む原稿画像の画像データを検索し、第２版の原稿画像の画像データを画像データ蓄積部３から画像形成部５へと入出力させる。画像形成部５は、第２版の原稿画像の画像データを入力し、第２版の原稿画像を記録用紙に印刷して出力する。この第２版の原稿画像は、第２版で改訂され、以降は改訂されていない原稿画像のグループである。また、図３においては、３頁が第２版の原稿画像である。
【００４０】
同様に、第３版の原稿画像だけを選択的に印刷する場合は、入力操作部８の操作により、チェックボックス４３にチェックマークを記して、「第３版」を選択して有効にする。これにより、「第３版」を選択した旨が画像解析部６に通知され、画像解析部６により「第３版」のＱＲコード２２を含む原稿画像の画像データが画像データ蓄積部３から検索され、第３版の原稿画像の画像データが画像形成部５に出力され、画像形成部５により第３版の原稿画像が記録用紙に複写される。この第３版の原稿画像は、第３版で改訂され、以降は改訂されていない原稿画像のグループである。また、図３においては、９８頁が第３版の原稿画像である。
【００４１】
また、全ての原稿画像を印刷する場合は、入力操作部８の操作により、チェックボックス４４にチェックマークを記して、「すべて」を選択して有効にする。これより、全ての原稿画像を選択した旨（通常の複写処理）が画像解析部６に通知される。
【００４２】
画像解析部６は、全ての原稿画像が選択された旨を受け取ると、全ての原稿画像の画像データを画像データ蓄積部３から画像形成部５へと入出力させる。画像形成部５は、全ての原稿画像の画像データを入力し、全ての原稿画像を記録用紙に印刷して出力する。この全ての原稿画像は、初版、第２版、及び第３版を含むものである。また、図３においては、１頁〜１００頁が全ての原稿画像である。尚、この全ての原稿画像の印刷は、通常の複写処理である。
【００４３】
次に、図６のフローチャートを参照しつつ、通常及び選択的な複写処理を整理して説明する。
【００４４】
まず、画像形成装置１の待機状態では、図５示すような「改訂頁のみ複写する」及びチェックボックス４５等が表示部７の画面に表示されている。利用者は、一束の原稿を原稿読取り部４にセットし、入力操作部８を操作して、図５のチェックボックス４５にチェックマークを記して、「改訂頁のみを複写する」を有効にするか、又はチェックマークを記さずに、「改訂頁のみを複写する」を無効にする（ステップＳ１０１）。この「改訂頁のみを複写する」の有効又は無効は、主制御部２に通知される。
【００４５】
そして、利用者は、入力操作部８を操作して、原稿画像の読取りを指示する。これに応答して原稿読取り部４は、セットされた一束の原稿画像を読取り、各原稿画像の画像データを画像データ蓄積部３に蓄積する（ステップＳ１０２）。
【００４６】
主制御部２は、各原稿画像の画像データの蓄積が終了すると、ステップＳ１０１で通知された「改訂頁のみを複写する」の有効又は無効に応じて選択的な複写処理が指示されたか否かを判定する（ステップＳ１０３）。例えば、「改訂頁のみを複写する」が無効であったならば（ステップＳ１０３で「無効」）、主制御部２は、選択的な複写処理が指示されなかったと判定し、通常の複写処理を実行する。この場合、全ての原稿画像の画像データが画像データ蓄積部３から画像形成部５へと入出力され、画像形成部５により全ての原稿画像が記録用紙に印刷して出力される（ステップＳ１１０）。
【００４７】
また、「改訂頁のみを複写する」が有効であったならば（ステップＳ１０３で「有効」）、主制御部２は、選択的な複写処理が指示されたと判定し、画像解析部６に画像データの解析を指示する。画像解析部６は、各原稿画像の画像データを画像データ蓄積部３から読出して入力し、これらの画像データを解析して、各原稿画像に含まれている各ＱＲコード２１〜２３を抽出して識別し（ステップＳ１０４）、各ＱＲコード２１、２２、２３からそれぞれの文字情報を読取り、これらの文字情報を主制御部２に通知する。主制御部２は、これらの文字情報に応じて図４に示すような「初版」、「第２版」、「第３版」、及び「すべて」と、これらの項目に対応するそれぞれのチェックボックス４１〜４４等を表示部７の画面にリスト表示する（ステップＳ１０５）。
【００４８】
この後、利用者は、入力操作部８を操作して、各チェックボックス４１〜４４のいずれかにチェックマークを記して、「初版」、「第２版」、「第３版」、及び「すべて」のいずれかを選択して有効にする（ステップＳ１０６）。こうして選択され有効にされた「初版」、「第２版」、「第３版」、及び「すべて」のいずれかは、主制御部２に通知される。
【００４９】
尚、原稿画像にＱＲコードが含まれておらず、ＱＲコードを識別することができなかった場合は、全ての原稿画像に対応するチェックボックス４４のみが表示部７の画面に表示される。このため、チェックボックス４４にチェックマークが記され、「すべて」が有効にされて主制御部２に通知される。
【００５０】
引き続いて、利用者は、入力操作部８の複写開始ボタンを操作して、複写の開始を指示する（ステップＳ１０７）。主制御部２は、複写の開始の指示を受けると、ステップＳ１０６での入力操作に基づき選択的な複写処理を実行するか否かを判定する（ステップＳ１０８）。すなわち、ステップＳ１０６での入力操作により「初版」、「第２版」、及び「第３版」のいずれかが有効にされたならば、選択的な複写処理を実行すると判定し、又ステップＳ１０６での入力操作により「すべて」が有効にされたならば、選択的な複写処理を実行しないと判定する。
【００５１】
例えば、主制御部２は、ステップＳ１０６での入力操作により「初版」が有効にされていたならば、選択的な複写処理を実行すると判定し、この「初版」を画像解析部６に通知する（ステップＳ１０８で「Ｙｅｓ」）。これに応答して画像解析部６は、画像データ蓄積部３内の原稿画像の画像データ毎に、原稿画像に「初版」の文字情報を示すＱＲコード２１が含まれるか否かを判定して、ＱＲコード２１を含む原稿画像の画像データを検索し、初版の原稿画像の画像データを画像データ蓄積部３から画像形成部５へと入出力させる。画像形成部５は、初版の原稿画像の画像データを入力し、初版の原稿画像を記録用紙に印刷して出力する（ステップＳ１０９）。
【００５２】
また、主制御部２は、ステップＳ１０６での入力操作により「第２版」が有効にされていたならば、この「第２版」を画像解析部６に通知する（ステップＳ１０８で「Ｙｅｓ」）。これに応答して画像解析部６は、画像データ蓄積部３内の原稿画像の画像データ毎に、原稿画像に「第２版」の文字情報を示すＱＲコード２２が含まれるか否かを判定して、ＱＲコード２２を含む原稿画像の画像データを検索し、第２版の原稿画像の画像データを画像データ蓄積部３から画像形成部５へと入出力させる。画像形成部５は、第２版の原稿画像の画像データを入力し、第２版の原稿画像を記録用紙に印刷して出力する（ステップＳ１０９）。
【００５３】
あるいは、主制御部２は、ステップＳ１０６での入力操作により「第３版」が有効にされていたならば、この「第３版」を画像解析部６に通知する（ステップＳ１０８で「Ｙｅｓ」）。これに応答して画像解析部６は、画像データ蓄積部３内の原稿画像の画像データ毎に、原稿画像に「第３版」の文字情報を示すＱＲコード２３が含まれるか否かを判定して、ＱＲコード２３を含む原稿画像の画像データを検索し、第３版の原稿画像の画像データを画像データ蓄積部３から画像形成部５へと出力させる。画像形成部５は、第３版の原稿画像の画像データを入力し、第３版の原稿画像を記録用紙に印刷して出力する（ステップＳ１０９）。
【００５４】
また、主制御部２は、ステップＳ１０６での入力操作により「すべて」が有効にされていたならば、選択的な複写処理を実行しないと判定し、通常の複写処理を実行する。この場合、全ての原稿画像の画像データが画像データ蓄積部３から画像形成部５へと入出力され、画像形成部５により全ての原稿画像が記録用紙に印刷して出力される（ステップＳ１１０）。
【００５５】
このように本実施形態では、初版、第２版、及び第３版に応じて各ＱＲコード２１〜２３のいずれかを原稿画像に含ませておき、原稿画像を読取った後で、原稿画像の画像データから各ＱＲコード２１〜２３を識別して、各ＱＲコード２１〜２３からそれぞれの文字情報を読取り、これらの文字情報によって示される「初版」、「第２版」、及び「第３版」を表示し、「初版」、「第２版」、及び「第３版」のいずれかが選択されて有効にされると、この有効にされた改訂版の文字情報を示すＱＲコードが含まれる原稿画像を検索して印刷しているので、全ての原稿画像のうちから所望の改訂版の原稿画像だけを印刷することができる。
【００５６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【００５７】
例えば、印刷許可データとして、ＱＲコードを例示しているが、この代わりに、バーコードや地紋等を適用することが可能である。
【００５８】
また、改訂版に対応する複数種のＱＲコード（印刷許可データ）を例示しているが、改訂版ではなく、他の方法で複数種の印刷許可データを設定しても構わない。例えば、マニュアルや書籍の各章に応じてそれぞれの印刷許可データを設定しておき、各印刷許可データのいずれかを有効にして、有効にされた印刷許可データを含む各原稿画像を印刷すれば、所望の章を構成する各原稿画像を容易に印刷することができる。
【符号の説明】
【００５９】
１  画像形成装置
２  主制御部
３  画像データ蓄積部
４  原稿読取り部
５  画像形成部
６  画像解析部
７  表示部
８  入力操作部
９  バス
２１〜２３  ＱＲコード
４１〜４５  チェックボックス
【図１】
2010226184.tif 000003
【図２】
2010226184.tif 000004
【図３】
2010226184.tif 000005
【図４】
2010226184.tif 000006
【図５】
2010226184.tif 000007
【図６】
2010226184.tif 000008